【手続補正書】
【提出日】平成16年12月27日(2004.12.27)
【手続補正１】
【補正対象書類名】明細書
【補正対象項目名】発明の名称
【補正方法】変更
【補正の内容】
【発明の名称】印刷装置制御プログラム、印刷装置、プリントサーバ装置及び印刷システム
【手続補正２】
【補正対象書類名】明細書
【補正対象項目名】特許請求の範囲
【補正方法】変更
【補正の内容】
【特許請求の範囲】
【請求項１】
所定のモードが指定されているか否かを判別するステップと、該所定のモードが指定されている場合に、印刷処理すべき文書データを印刷するのに必要な印字材料の消費を削減すべくページ記述言語を変更するステップと、を含む、印刷装置制御プログラム。
【請求項２】
所定のモードが指定されているか否かを判別するステップと、該所定のモードが指定されている場合に、印刷処理すべき文書データに含まれる文字オブジェクトの文字サイズを判定するステップと、判定された文字サイズを所定の文字サイズと比較するステップと、判定された文字サイズが所定の文字サイズ以上である場合に、文字オブジェクトが輪郭線として印刷されるべく印刷処理データを変更するステップと、を含む、印刷装置制御プログラム。
【請求項３】
所定のモードが指定されているか否かを判別するステップと、該所定のモードが指定されている場合に、印刷処理すべき文書データに含まれる図形オブジェクトが、塗りつぶし図形であるか否かを判定するステップと、判定された図形オブジェクトが塗りつぶし図形である場合に、図形オブジェクトが輪郭線として印刷されるべく印刷処理データを変更するステップと、を含む、印刷装置制御プログラム。
【請求項４】
所定のモードが指定されているか否かを判別するステップと、該所定のモードが指定されている場合に、印刷処理すべき文書データに含まれるイメージオブジェクトがイメージ領域の輪郭線として印刷されるべく印刷処理データを変更するステップと、を含む、印刷装置制御プログラム。
【請求項５】
プログラムを格納する不揮発性メモリ装置と、プログラムを実行するＣＰＵ演算装置と、を含み、該不揮発性メモリ装置に、請求項１乃至請求項４のいずれかに記載の印刷装置制御プログラムが格納され、該ＣＰＵ演算装置によって実行されることを特徴とする印刷装置。
【請求項６】
所定のモードが指定されているか否かを判別するステップと、該所定のモードが指定されている場合に、印刷処理すべき文書データに含まれる文字オブジェクトの文字サイズおよび文字の形状の種類を判定するステップと、判定された文字の形状の種類によって、所定の文字サイズを決定するステップと、判定された文字サイズが所定の文字サイズ以上である場合に文字オブジェクトが輪郭線として印刷されるべく印刷処理データを変更するステップと、を含む、印刷装置制御プログラム。
【請求項７】
前記所定のモードが、印字材料節約モードであることを特徴とする請求項１乃至請求項４または請求項６のいずれかに記載の印刷装置制御プログラム。
【請求項８】
プログラムを格納する不揮発性メモリ装置と、プログラムを実行するＣＰＵ演算装置と、を含み、該不揮発性メモリ装置に、請求項６または請求項７に記載の印刷装置制御プログラムが格納され、該ＣＰＵ演算装置によって実行されることを特徴とする印刷装置。
【請求項９】
さらに、印字材料節約モードを指定するモード指定手段を有することを特徴とする請求項５または請求項８に記載の印刷装置。
【請求項１０】
プログラムを格納する不揮発性メモリ装置と、プログラムを実行するＣＰＵ演算装置と、を含み、該不揮発性メモリ装置に、請求項１乃至請求項４、請求項６または請求項７のいずれかに記載の印刷装置制御プログラムが格納され、該ＣＰＵ演算装置によって実行されることを特徴とするプリントサーバ装置。
【請求項１１】
印字材料節約モードを指定するモード指定手段と、印字材料節約モードが指定されているか否かを判別するモード判定手段と、印字材料節約モードが指定されている場合に、印刷処理すべき文書データに含まれる文字オブジェクトの文字サイズを判定する文字サイズ判定手段と、判定された文字サイズを所定の文字サイズと比較する手段と、判定された文字サイズが所定の文字サイズ以上である場合に文字オブジェクトが輪郭線として印刷されるべく印刷処理データを変更する手段と、を有することを特徴とする印刷システム。
【請求項１２】
さらに、文書データに含まれる文字オブジェクトの文字の形状の種類を判定する手段と、判定された文字の形状の種類によって、所定の文字サイズを決定する手段と、を含むことを特徴とする請求項１１に記載の印刷システム。
【請求項１３】
印字材料節約モードを指定するモード指定手段と、印字材料節約モードが指定されているか否かを判別するモード判定手段と、印字材料節約モードが指定されている場合に、印刷処理すべき文書データに含まれる図形オブジェクトが塗りつぶし図形であるか否かを判定する手段と、判定された図形オブジェクトが塗りつぶし図形である場合に図形オブジェクトが輪郭線として印刷されるべく印刷処理データを変更する手段と、を有することを特徴とする印刷システム。
【請求項１４】
印字材料節約モードを指定するモード指定手段と、印字材料節約モードが指定されているか否かを判別するモード判定手段と、トナー節約モードを指定するモード指定手段と、トナー節約モードが指定されているか否かを判別するモード判定手段と、印字材料節約モードが指定されている場合に、印刷処理すべき文書データに含まれるイメージオブジェクトがイメージ領域の輪郭線として印刷されるべく印刷処理データを変更する手段と、を有することを特徴とする印刷システム。
【手続補正３】
【補正対象書類名】明細書
【補正対象項目名】０１１８
【補正方法】変更
【補正の内容】
【０１１８】
なお、以上説明した実施の形態には、請求項１から請求項５に掲げるものほか、以下に掲げるような発明も含む。
【手続補正４】
【補正対象書類名】明細書
【補正対象項目名】０１１９
【補正方法】変更
【補正の内容】
【０１１９】
［第６の発明、すなわち請求項６に記載の発明］
所定のモードが指定されているか否かを判別するステップと、
該所定のモードが指定されている場合に、印刷処理すべき文書データに含まれる文字オブジェクトの文字サイズおよび文字の形状の種類を判定するステップと、
判定された文字の形状の種類によって、所定の文字サイズを決定するステップと、
判定された文字サイズが所定の文字サイズ以上である場合に
文字オブジェクトが輪郭線として印刷されるべく印刷処理データを変更するステップと、
を含む、印刷装置制御プログラム。
【手続補正５】
【補正対象書類名】明細書
【補正対象項目名】０１２０
【補正方法】変更
【補正の内容】
【０１２０】
［第７の発明、すなわち請求項７に記載の発明］
請求項１乃至４あるいは、上記第６の発明において、所定のモードが、印字材料節約モードであることを特徴とする印刷装置制御プログラム。
【手続補正６】
【補正対象書類名】明細書
【補正対象項目名】０１２１
【補正方法】変更
【補正の内容】
【０１２１】
［第８の発明、すなわち請求項８に記載の発明］
プログラムを格納する不揮発性メモリ装置と、
プログラムを実行するＣＰＵ演算装置と、
を含み、
該不揮発性メモリ装置に、上記第６乃至第７の発明に記載の印刷装置制御プログラムが格納され、該ＣＰＵ演算装置によって実行されること
を特徴とする印刷装置。
【手続補正７】
【補正対象書類名】明細書
【補正対象項目名】０１２２
【補正方法】変更
【補正の内容】
【０１２２】
［第９の発明、すなわち請求項９に記載の発明］
請求項５あるいは第８の発明に記載の印刷装置において、
さらに、印字材料節約モードを指定するモード指定手段を有することを特徴とする印刷装置。
【手続補正８】
【補正対象書類名】明細書
【補正対象項目名】０１２３
【補正方法】変更
【補正の内容】
【０１２３】
［第１０の発明、すなわち請求項１０に記載の発明］
プログラムを格納する不揮発性メモリ装置と、
プログラムを実行するＣＰＵ演算装置と、
を含み、
該不揮発性メモリ装置に、請求項１乃至４または、上記第６または第７の発明に記載の印刷装置制御プログラムが格納され、該ＣＰＵ演算装置によって実行されること
を特徴とするプリントサーバ装置。
【手続補正９】
【補正対象書類名】明細書
【補正対象項目名】０１２４
【補正方法】変更
【補正の内容】
【０１２４】
［第１１の発明、すなわち請求項１１に記載の発明］
印字材料節約モードを指定するモード指定手段と、
印字材料節約モードが指定されているか否かを判別するモード判定手段と、
印字材料節約モードが指定されている場合に、印刷処理すべき文書データに含まれる文字オブジェクトの文字サイズを判定する文字サイズ判定手段と、
判定された文字サイズを所定の文字サイズと比較する手段と、
判定された文字サイズが所定の文字サイズ以上である場合に
文字オブジェクトが輪郭線として印刷されるべく印刷処理データを変更する手段と、
を有することを特徴とする印刷システム。
【手続補正１０】
【補正対象書類名】明細書
【補正対象項目名】０１２５
【補正方法】変更
【補正の内容】
【０１２５】
［第１２の発明、すなわち請求項１２に記載の発明］
第１１の発明において、さらに、
文書データに含まれる文字オブジェクトの文字の形状の種類を判定する手段と、判定された文字の形状の種類によって、所定の文字サイズを決定する手段と、を含む、印刷システム。
【手続補正１１】
【補正対象書類名】明細書
【補正対象項目名】０１２６
【補正方法】変更
【補正の内容】
【０１２６】
［第１３の発明、すなわち請求項１３に記載の発明］
印字材料節約モードを指定するモード指定手段と、
印字材料節約モードが指定されているか否かを判別するモード判定手段と、
印字材料節約モードが指定されている場合に、印刷処理すべき文書データに含まれる図形オブジェクトが塗りつぶし図形であるか否かを判定する手段と、
判定された図形オブジェクトが塗りつぶし図形である場合に
図形オブジェクトが輪郭線として印刷されるべく印刷処理データを変更する手段と、
を有することを特徴とする印刷システム。
【手続補正１２】
【補正対象書類名】明細書
【補正対象項目名】０１２７
【補正方法】変更
【補正の内容】
【０１２７】
［第１４の発明、すなわち請求項１４に記載の発明］
印字材料節約モードを指定するモード指定手段と、
印字材料節約モードが指定されているか否かを判別するモード判定手段と、
トナー節約モードを指定するモード指定手段と、
トナー節約モードが指定されているか否かを判別するモード判定手段と、
印字材料節約モードが指定されている場合に、印刷処理すべき文書データに含まれるイメージオブジェクトがイメージ領域の輪郭線として印刷されるべく印刷処理データを変更する手段と、
を有することを特徴とする印刷システム。
【手続補正１３】
【補正対象書類名】明細書
【補正対象項目名】０１２８
【補正方法】変更
【補正の内容】
【０１２８】
【発明の効果】
以上説明したように、本発明の請求項１〜４及び６〜７に記載の印刷装置制御プログラム、あるいは、請求項５及び８〜９に記載の印刷装置、さらには、請求項１１〜１４に記載の印刷システム、また、請求項１０に記載のプリントサーバ装置によれば、所定のモードあるいは印字材料節約モードが指定されているか否かを判別し、印刷処理すべき文書データに含まれる所定のサイズ以上の文字オブジェクトや塗りつぶし図形オブジェクトあるいはイメージオブジェクトを、各々輪郭線として印刷されるべく印刷処理データを変更することで、文書の判読性を損なうことなく、印刷装置によって使用されるトナーの使用量を効果的に節約することができる。